(57)【要約】      （修正有）【課題】塗装材で塗着されている任意の形状のワークの塗装面を短時間で効率的に乾燥仕上げ出来る生産性の高いワーク乾燥時間短縮装置を提供する。【解決手段】乾燥対象物（以下、ワーク８と称す）の塗装面を短時間に、かつ効率的に乾燥仕上げするためのワーク乾燥時間短縮装置３００であって、該装置は上方側に配置される温風室１及びその下方側に配置されワークを密閉収納する空間部を有すると共に温風室との間にフィルタ４及びポーラスの天井板５を介設してなるワーク収納室２とを形成する乾燥室本体１００と、該乾燥室本体に温風ガスを送るべく温風室に連結される温風ガス発生部３と温風室よりワークの近傍まで垂下し温風ガスをワーク側に噴出する一体型又は複数型からなるダクト１０とを有する。【選択図】図１
0003233272.tif 000002
【実用新案登録請求の範囲】
【請求項１】
乾燥対象物（以下、ワークと称す）の塗装面を短時間に、かつ効率的に乾燥仕上げするための装置であって、該装置は上方側に配置される温風室及びその下方側に配置され前記ワークを密閉収納する空間部を有すると共に前記温風室との間にフィルタ及びポーラスの天井板を介設してなるワーク収納室とを形成する乾燥室本体と、該乾燥室本体に温風ガスを送るべく前記温風室に連結される温風ガス発生部と前記温風室より前記ワークの近傍まで垂下し温風ガスを前記ワーク側に噴出する一体型又は複数型からなるダクトとを有することを特徴とするワーク乾燥時間短縮装置。
【請求項２】
前記ダクトの温風噴出口が上下動可能に形成されると共に前記ワーク側に向って伸縮可能に形成されるものからなることを特徴とする請求項１に記載のワーク乾燥時間短縮装置。
【請求項３】
前記ダクトの中間部には断熱ファンが設けられることを特徴とする請求項１に記載のワーク乾燥時間短縮装置。
【請求項４】
乾燥対象物（以下、ワークと称す）の塗装面を短時間に、かつ効率的に乾燥仕上げするための装置であって、該装置は上方側に配置される温風室及びその下方側に配置され前記ワークを密閉収納する空間部を有すると共に前記温風室との間にフィルタ及びポーラスの天井板を介設してなるワーク収納室とを形成する乾燥室本体と、該乾燥室本体に温風ガスを送るべく前記温風室に連結される温風ガス発生部と前記ワーク側に直接温風を送るべく前記乾燥室本体の前記ワーク収納室に独立的に配置される室内温風源とを有することを特徴とするワーク乾燥時間短縮装置。
【請求項５】
前記室内温風源がＬＰガス噴出体であることを特徴とする請求項４に記載のワーク乾燥時間短縮装置。
【請求項６】
前記室内温風源がＬＥＤランプであり前記ワークに施されている塗装が前記ＬＥＤランプの光による温風によって乾燥し得る特性を有する塗料によるものであることを特徴とする請求項４に記載のワーク乾燥時間短縮装置。
【請求項７】
前記ＬＥＤランプが前記乾燥室本体の前記ワーク収納室の前記ワークの近傍及び／又は壁に設けられている蛍光窓に設けることを特徴とする請求項６に記載のワーク乾燥時間短縮装置。
【考案の詳細な説明】
【技術分野】
【０００１】  本考案は、塗装されている乾燥対象物の塗装面を短時間で確実に乾燥するためのワーク乾燥時間短縮装置に関する。
【背景技術】
【０００２】  ワークの塗装面を乾燥する手段としては従来より種々の装置が作成されているがワークが比較的大型の場合はワークを収納し得る収納室を有しこの収納室内に温風を送って乾燥する手段が用いられている図６及び図７は従来採用されているワーク乾燥装置の概要構造を示すものである。【０００３】  このワーク乾燥装置２００は図示のように上方側に設けられている温風室１とその下方側に配置されてるワーク収納室２とを有する乾燥室本体１００と温風室１に連結される温風ガス発生部３等により形成されているものからなる。この場合、温風ガス発生部３としてはＬＰガスが通常使用されている。なお、図示のように温風室１とワーク収納室２との間にはフィルタ４やポーラスの天井板５が設けられている。また、ワーク収納室２の横壁６には通常の蛍光窓７が配置されている。【０００４】  ワーク８は図６や図７に示すように上下左右が開放される状態で置台９上に保持されて配置されている。
【考案の概要】
【考案が解決しようとする課題】
【０００５】  図６や図７に示した従来のワーク乾燥装置２００の場合は温風ガス発生部３からの温風（例えば、ＬＰガス）が温風室１のある天井側から下方に向う温風によってワーク８が乾燥されるように形成されている。しかしながら、この方式の場合は例えば、設定温度８０℃で実温度６０℃の温風であっても温風室１より離れた位置に通常配置されているワーク８の塗装面を乾燥させるにはかなりの時間が必要となる欠点があった。また、ワーク８としては大型ではあるが背の低いものが多く、乾燥時間がかなり長時間となる欠点が発生する。そこで本考案は前記の欠点を解消し、乾燥時間が短く効率的な乾燥が出来る構造のワーク乾燥時間短縮装置を創案することを目的としたものである。
【課題を解決するための手段】
【０００６】  本考案は、以上の目的を達成すべく創案されたものであり、この考案の請求項１のワーク乾燥時間短縮装置は、乾燥対象物（以下、ワークと称す）の塗装面を短時間に、かつ効率的に乾燥仕上げするための装置であって、該装置は上方側に配置される温風室及びその下方側に配置され前記ワークを密閉収納する空間部を有すると共に前記温風室との間にフィルタ及びポーラスの天井板を介設してなるワーク収納室とを形成する乾燥室本体と、該乾燥室本体に温風ガスを送るべく前記温風室に連結される温風ガス発生部と前記温風室より前記ワークの近傍まで垂下し温風ガスを前記ワーク側に噴出する一体型又は複数型からなるダクトとを有することを特徴とする。【０００７】  また、請求項２のワーク乾燥時間短縮装置は、前記ダクトの温風噴出口が上下動可能に形成されると共に前記ワーク側に向って伸縮可能に形成されるものからなることを特徴とする。【０００８】  また、請求項３のワーク乾燥時間短縮装置は、前記ダクトの中間部には断熱ファンが設けられることを特徴とする。【０００９】  また、請求項４のワーク乾燥時間短縮装置は、乾燥対象物（以下、ワークと称す）の塗装面を短時間に、かつ効率的に乾燥仕上げするための装置であって、該装置は上方側に配置される温風室及びその下方側に配置され前記ワークを密閉収納する空間部を有すると共に前記温風室との間にフィルタ及びポーラスの天井板を介設してなるワーク収納室とを形成する乾燥室本体と、該乾燥室本体に温風ガスを送るべく前記温風室に連結される温風ガス発生部と前記ワーク側に直接温風を送るべく前記乾燥室本体の前記ワーク収納室に独立的に配置される室内温風源とを有することを特徴とする。【００１０】  また、請求項５のワーク乾燥時間短縮装置は、前記室内温風源がＬＰガス噴出体であることを特徴とする。【００１１】  また、請求項６のワーク乾燥時間短縮装置は、前記室内温風源がＬＥＤランプであり前記ワークに施されている塗装が前記ＬＥＤランプの光による温風によって乾燥し得る特性を有する塗料によるものであることを特徴とする。【００１２】  また、請求項７のワーク乾燥時間短縮装置は、前記ＬＥＤランプが前記乾燥室本体の前記ワーク収納室の前記ワークの近傍及び／又は壁に設けられている蛍光窓に設けることを特徴とする。
【考案の効果】
【００１３】  本考案の請求項１のワーク乾燥時間短縮装置によれば、従来の温風噴出手段の他に近距離からワークに温風を噴出するダクトを設けることにより乾燥時間が短縮され、効果のある乾燥を行う事が出来、生産性を向上することが出来る。【００１４】  また、請求項２のワーク乾燥時間短縮装置によれば、ダクトの温風噴出口が上下に回動出来ると共に、ワーク側に向って伸縮出来るためワークの形状に見合った乾燥を効率的に行うことが出来る。【００１５】  また、請求項３のワーク乾燥時間短縮装置によれば、ダクト内に断熱ファンを設けることにより乾燥度を良好な温度の温風をワークに噴射することが出来、効率的な乾燥を行うことが出来る。【００１６】    また、請求項４のワーク乾燥時間短縮装置によれば、ダクトの代りにワークに対して独立的に配置される室内温風源を設けることにより直接的な乾燥ができ、より効率的な乾燥を行うことが出来る。【００１７】  また、請求項５のワーク乾燥時間短縮装置によれば、室内温風源として効率的な乾燥の可能なＬＰガス噴出体を独立的に設けることにより、ワークの形状に見合った効率的な乾燥を行うことが出来る。【００１８】  また、請求項６のワーク乾燥時間短縮装置によれば、室内温風源として取り扱い性のよいＬＥＤランプを用いる事が出来、ワークの形状に見合ったより効果的の乾燥を行うことが出来る。但し、この場合ＬＥＤランプによって乾燥可能な塗料によってワークの塗装を行う必要があるが、このような塗料は現在開発中であり、近日中に実施可能と予想される。【００１９】  また、請求項７のワーク乾燥時間短縮装置によれば、ＬＥＤランプは任意の場所に設置可能であり、蛍光窓のある場所にも照明を兼ねて設けることが出来、効率的な乾燥を行うことが出来る。
【図面の簡単な説明】
【００２０】
【図１】本考案のワーク乾燥時間短縮装置の全体構造を示す正面断面図。
【図２】ダクトの温風噴出口の詳細部分形状を説明するための部分的正面図。
【図３】ダクトの形状を示す側面図（（ａ）は複数本のダクトを示す側面図、（ｂ）は一体的のダクトを示す側面図）。
【図４】ダクトの替りに独立的な室内温風源の１つであるＬＰガス噴出体を設けたワーク乾燥時間短縮装置を示す正面断面図。
【図５】ダクトの替りに独立的な室内温風源の１つであるＬＥＤランプを設けたワーク乾燥時間短縮装置を示す正面断面図。
【図６】従来のワーク乾燥装置を示す正面断面図。
【図７】従来のワーク乾燥装置の乾燥室本体の部分的形状を示す立体的写真。
【考案を実施するための形態】
【００２１】  図１によりダクトを設けた本考案のワーク乾燥時間短縮装置３００を示す。なお、図１はダクト１０以外は前記の図６による説明の内容のものが適用されているため、その説明は省略する。ダクト１０は図示のように温風室１よりワーク８の近傍まで垂下する空洞型噴出体からなり、その温風噴出口１１は図１や図２に示すようにワーク８側に向って突出した形状のものから形成される。この温風噴出口１１はワーク８側に向って折り曲げられた形状のものからなるが勿論これに限定するものではない。また、図２に示すように温風噴出口１１は上下動可能に、かつワーク８側に向って伸縮自在の構造のものでもよい。また、温風噴出口１１は図示とは異なりテーパ状に先細りのものでもよい。
【００２２】  図３はダクト１０の概要構造を示すもので（ａ）はダクト１０が複数本のものの集合体からなるものを示し（ｂ）は一体的構造のものを示している。通常は（ａ）が使用されている。
【００２３】  図４，図５はダクト１０の替りに室内温風源１２を設けたワーク乾燥時間短縮装置３００を示したものであり、図４はＬＰガス噴出体を室内温風源１２として用いたものを示し、図５はＬＥＤランプ１３を室内温風源１２として用いた場合を示すものである。なお、図５では蛍光窓７の部分にＬＥＤランプ１３を用いた場合を示すものである。これにより温風手段の他に照明手段としても適用されるメリットを有する。
【００２４】  本考案は以上の説明の内容からなるが、本考案はこの説明の内容に限定するものでなく、同一技術的範疇のものが適用されることは勿論である。なお、室内温風源としてハロゲンランプを用いることもある。
【産業上の利用可能性】
【００２５】  本考案のワーク乾燥時間短縮装置３００は各種のワークの乾燥に適用可能であり、その利用範囲は極めて広い。
【符号の説明】
【００２６】１      温風室
２      ワーク収納室
３      温風ガス発生部
４      フィルタ
５      天井板
６      横壁
７      蛍光窓
８      ワーク
９      置台
１０    ダクト
１１    温風噴出口
１２    室内温風源
１３    ＬＥＤランプ
１００  乾燥室本体
２００  ワーク乾燥装置
３００  ワーク乾燥時間短縮装置
【図１】
0003233272.tif 000003
【図２】
0003233272.tif 000004
【図３】
0003233272.tif 000005
【図４】
0003233272.tif 000006
【図５】
0003233272.tif 000007
【図６】
0003233272.tif 000008
【図７】
0003233272.tif 000009